(57)【要約】【解決課題】衿先周辺に表衿生地の余り皺ができるのを防止しつつ表衿生地の突っ張りを軽減することができ、衿芯地のぼこつきの少ない衿を有する衣服とその製造方法を提供する。【解決手段】非接着仕様の衿を有する衣服であって、表衿生地、衿芯地および裏衿生地のうち少なくとも表衿生地および衿芯地には、それら表衿生地および衿芯地の長手方向における重なり位置を示すマークが衿中心に対して対称に付されており、表衿生地および衿芯地の各衿先からその衿先に最も近いマークまでの長さは同一であり、表衿芯地のマーク間隔は衿芯地のそれよりも大きく、かつ、表衿生地、衿芯地および裏衿生地を表衿生地および衿芯地の対応するマークの位置を合わせて縫着する。【選択図】　図１
2004052189.tif 000002
【特許請求の範囲】
【請求項１】
非接着仕様の衿を有する衣服であって、表衿生地、衿芯地および裏衿生地のうち少なくとも表衿生地および衿芯地には、それら表衿生地および衿芯地の長手方向における重なり位置を示すマークが衿中心に対して対称に付されており、表衿生地および衿芯地の各衿先からその衿先に最も近いマークまでの長さは同一であり、表衿芯地のマーク間隔は衿芯地のそれよりも大きく、かつ、表衿生地、衿芯地および裏衿生地を表衿生地および衿芯地の対応するマークの位置を合わせて縫着してなる衣服。
【請求項２】
裏衿生地には、衿芯地との長手方向における重なり位置を示すマークが衿中心に対して対称に付されており、表衿生地、衿芯地および裏衿生地の各衿先からその衿先に最も近いマークまでの長さは同一であり、衿芯地のマーク間隔は裏衿生地のそれよりも大きい、請求項１に記載の衣服。
【請求項３】
非接着仕様の衿を有する衣服を製造する方法であって、表衿生地、衿芯地および裏衿生地のうち少なくとも表衿生地および衿芯地に、それら表衿生地および衿芯地の長手方向における重なり位置を示すマークを衿中心に対して対称に付し、表衿生地および衿芯地の各衿先からその衿先に最も近いマークまでの長さは同一とし、表衿芯地のマーク間隔は衿芯地のそれよりも大きくし、かつ、表衿生地、衿芯地および裏衿生地を表衿生地および衿芯地の対応するマークの位置を合わせて縫着する、衣服の製造方法。
【請求項４】
裏衿生地に、衿芯地との長手方向における重なり位置を示すマークを衿中心に対して対称に付し、表衿生地、衿芯地および裏衿生地の各衿先からその衿先に最も近いマークまでの長さは同一とし、衿芯地のマーク間隔は裏衿生地のそれよりも大きくする、請求項３に記載の衣服の製造方法。
【請求項５】
非接着仕様のカフスを有する衣服であって、表カフス生地、カフス芯地および裏カフス生地のうち少なくとも表カフス生地およびカフス芯地には、それら表カフス芯地およびカフス芯地の長手方向における重なり位置を示すマークがカフス中心に対して対称に付されており、表カフス生地およびカフス芯地の各カフス先からそのカフス先に最も近いマークまでの長さは同一であり、表カフス生地のマーク間隔はカフス芯地のそれよりも大きく、かつ、表カフス生地、カフス芯地および裏カフス生地を表カフス生地およびカフス芯地の対応するマークの位置を合わせて縫着してなる衣服。
【請求項６】
裏カフス生地には、カフス芯地との長手方向における重なり位置を示すマークがカフス中心に対して対称に付されており、表カフス生地、カフス芯地および裏カフス生地の各カフス先からそのカフス先に最も近いマークまでの長さは同一であり、カフス芯地のマーク間隔は裏カフス生地のそれよりも大きい、請求項５に記載の衣服。
【請求項７】
非接着仕様のカフスを有する衣服を製造する方法であって、表カフス生地、カフス芯地および裏カフス生地のうち少なくとも表カフス生地およびカフス芯地に、それら表カフス生地およびカフス芯地の長手方向における重なり位置を示すマークをカフス中心に対して対称に付し、表カフス生地およびカフス芯地の各カフス先からそのカフス先に最も近いマークまでの長さは同一とし、表カフス生地のマーク間隔はカフス芯地のそれよりも大きくし、かつ、表カフス生地、カフス芯地および裏カフス生地を表カフス生地およびカフス芯地の対応するマークの位置を合わせて縫着する、衣服の製造方法。
【請求項８】
裏カフス生地に、カフス芯地との長手方向における重なり位置を示すマークをカフス中心に対して対称に付し、表カフス生地、カフス芯地および裏カフス生地の各カフス先からそのカフス先に最も近いマークまでの長さは同一とし、カフス芯地のマーク間隔は裏カフス生地のそれよりも大きくする、請求項７に記載の衣服の製造方法。
【発明の詳細な説明】
【０００１】
【発明の属する技術分野】
本発明は、一般にふらし（ｎｏ　ｆｉｘｉｎｇ）仕様と呼ばれる、表裏の生地と芯地とを接着しない仕様の衿またはカフスを有する衣服と、そのような衣服を製造する方法に関する。
【０００２】
【従来の技術】
衣服、特に、紳士用ドレスシャツや婦人用ブラウス等の中衣の衿は、それを着用する人の首周りに合うように設計されている。特に、紳士用のドレスシャツは、ドレスシャツの衿周りと首との間に指が２本ほど入るようなものが適性なサイズであるとされており、首周りにフィットする商品が提供されている。そのようなドレスシャツの衿周りは４０ｃｍ前後のものが中心であり、衿は、着用した状態では周長が４０ｃｍ前後の筒状となる。
【０００３】
さて、ドレスシャツの衿は、あらかじめ裁断した表衿生地、衿芯地および裏衿生地を平面的に重ね合わせて縫着することによって得るが、それぞれの長さは同一であるため、この状態で着用し、衿が周長４０ｃｍほどの筒状になると、当然、衿の表側と裏側とでは周長に差を生じる。そのため、外側の表衿にくらべて周長が短くなる衿芯地や、それよりもさらに周長が短くなる裏衿の余分な長さが、衿芯地のぼこつきや裏衿の余り皺となって現れる。特に、衿芯地を表衿に接着しないふらし仕様の衿においては、周長の差による衿品位の不具合ができやすい。
【０００４】
衿芯地のぼこつきは、衿の外観品位を悪くするのみならず、衿全体の形にも悪い影響を与える。また、裏衿生地の余り皺は、特に、ワイドタイプのデザインの衿では前開き部分から見えることがあり、品位を損なうのみならず、皺がネクタイの収まる裏衿と外台衿との間を占有してしまうため、ネクタイを着用したときに膨れてきつい感じの衿となり、着用感を損なうことになる。
【０００５】
このような問題を解決しようとして、実用新案登録第３００１２４６号公報は、あらかじめ裁断した表衿生地とそれよりも長さの短い裏衿生地とを縫着することを提案している。この従来の技術は、表衿生地とそれよりも長さの短い裏衿生地とを縫着することで裏衿生地の余り皺を軽減し、また、表衿生地の突っ張りを軽減しようというものであるが、表衿生地と裏衿生地とを長手方向全体にわたって縫着するため、それらの長さの差が表衿の衿先周辺に余り皺を発現させやすいという問題がある。すなわち、首周りの後ろ側においては、衿が首周りに沿って弧を描くようになるため表衿生地と裏衿生地の長さの差は皺となって現れないが、首周りの肩位置付近から衿先にかけてはほぼ平面に近い状態になるため、長さの差が表衿生地の余り皺となって現れるのである。衿と同じような構成を有するカフスについても、全く同様のことが起こる。
【０００６】
【発明が解決しようとする課題】
本発明の目的は、上述した従来の技術の上記問題点を解決し、衿先周辺に表衿生地の余り皺ができるのを防止しつつ表衿生地の突っ張りを軽減することができ、衿芯地のぼこつきの少ない衿を有する衣服を提供することにある。
【０００７】
また、本発明は、カフス先周辺に表カフス生地の余り皺ができるのを防止しつつ表カフス生地の突っ張りを軽減することができ、カフス芯地のぼこつきの少ないカフスを有する衣服を提供することを目的とする。
【０００８】
さらに、本発明は、上述した衿やカフスを有する衣服を製造する方法を提供することを目的とする。
【０００９】
【課題を解決するための手段】
上記目的を達成するための本発明は、非接着仕様の衿を有する衣服であって、表衿生地、衿芯地および裏衿生地のうち少なくとも表衿生地および衿芯地には、それら表衿生地および衿芯地の長手方向における重なり位置を示すマークが衿中心に対して対称に付されており、表衿生地および衿芯地の各衿先からその衿先に最も近いマークまでの長さは同一であり、表衿芯地のマーク間隔は衿芯地のそれよりも大きく、かつ、表衿生地、衿芯地および裏衿生地を表衿生地および衿芯地の対応するマークの位置を合わせて縫着してなる衣服を特徴とするものである。
この場合、裏衿生地に、衿芯地との長手方向における重なり位置を示すマークが衿中心に対して対称に付されており、表衿生地、衿芯地および裏衿生地の各衿先からその衿先に最も近いマークまでの長さは同一であり、衿芯地のマーク間隔は裏衿生地のそれよりも大きいのが好ましい。
【００１０】
また、本発明は、かかる衿を有する衣服を製造する方法として、非接着仕様の衿を有する衣服を製造する方法であって、表衿生地、衿芯地および裏衿生地のうち少なくとも表衿生地および衿芯地に、それら表衿生地および衿芯地の長手方向における重なり位置を示すマークを衿中心に対して対称に付し、表衿生地および衿芯地の各衿先からその衿先に最も近いマークまでの長さは同一とし、表衿芯地のマーク間隔は衿芯地のそれよりも大きくし、かつ、表衿生地、衿芯地および裏衿生地を表衿生地および衿芯地の対応するマークの位置を合わせて縫着する、衣服の製造方法を提供する。この場合、裏衿生地に、衿芯地との長手方向における重なり位置を示すマークを衿中心に対して対称に付し、表衿生地、衿芯地および裏衿生地の各衿先からその衿先に最も近いマークまでの長さは同一とし、衿芯地のマーク間隔は裏衿生地のそれよりも大きくするのが好ましい。
【００１１】
さらに、本発明は、上記目的を達成するために、非接着仕様のカフスを有する衣服であって、表カフス生地、カフス芯地および裏カフス生地のうち少なくとも表カフス生地およびカフス芯地には、それら表カフス芯地およびカフス芯地の長手方向における重なり位置を示すマークがカフス中心に対して対称に付されており、表カフス生地およびカフス芯地の各カフス先からそのカフス先に最も近いマークまでの長さは同一であり、表カフス生地のマーク間隔はカフス芯地のそれよりも大きく、かつ、表カフス生地、カフス芯地および裏カフス生地を表カフス生地およびカフス芯地の対応するマークの位置を合わせて縫着してなる衣服を提供する。この場合、裏カフス生地には、カフス芯地との長手方向における重なり位置を示すマークがカフス中心に対して対称に付されており、表カフス生地、カフス芯地および裏カフス生地の各カフス先からそのカフス先に最も近いマークまでの長さは同一であり、カフス芯地のマーク間隔は裏カフス生地のそれよりも大きいのが好ましい。
【００１２】
また、本発明は、かかるカフスを有する衣服を製造する方法として、非接着仕様のカフスを有する衣服を製造する方法であって、表カフス生地、カフス芯地および裏カフス生地のうち少なくとも表カフス生地およびカフス芯地に、それら表カフス生地およびカフス芯地の長手方向における重なり位置を示すマークをカフス中心に対して対称に付し、表カフス生地およびカフス芯地の各カフス先からそのカフス先に最も近いマークまでの長さは同一とし、表カフス生地のマーク間隔はカフス芯地のそれよりも大きくし、かつ、表カフス生地、カフス芯地および裏カフス生地を表カフス生地およびカフス芯地の対応するマークの位置を合わせて縫着する、衣服の製造方法を提供する。この場合、裏カフス生地に、カフス芯地との長手方向における重なり位置を示すマークをカフス中心に対して対称に付し、表カフス生地、カフス芯地および裏カフス生地の各カフス先からそのカフス先に最も近いマークまでの長さは同一とし、カフス芯地のマーク間隔は裏カフス生地のそれよりも大きくするのが好ましい。
【００１３】
【発明の実施の形態】
図１は、非接着仕様の衿を有する衣服の表衿生地、衿芯地および裏衿生地のうち、表衿生地を例として示すものである。この表衿生地には、衿芯地との長手方向における重なり位置を示す２個のマークＭ、Ｍが、衿中心ＣＢに対して対称に付されている。図示しないが、衿芯地も全く同様に構成されている。表衿生地および衿芯地の各衿先からマークＭまでの長さは同一であるが、マーク間隔Ｍｗは、表衿芯地のほうが衿芯地のそれよりも大きくされている。そして、表衿生地、衿芯地および裏衿生地は、表衿生地および衿芯地の対応するマークの位置を合わせて縫着される。そうすると、表衿生地と衿芯地の長さの差が衿の首周りの後ろ側の部分にのみ入ることになるので、ほぼ平面に近い衿先部分には表衿生地の余り皺は発現されず、衿の首周りの後ろ側部分の表衿生地の突っ張りや衿芯地のぼこつきも軽減することができる。なお、縫着に際して、衿先補強芯地をさらに付加することもできる。
【００１４】
上記において、マーク間隔Ｍｗは、衿長さＦｗの３０〜６０％程度とするのが好ましい。使用する生地や衿のデザインによっても異なるが、通常のシャツ生地を用い、通常のデザインとする場合は、４５％前後であるのが最も適当である。
そうすることで、表衿生地と衿芯地の長さの差が必要ない衿先部分と、差が必要な衿の首周りの後ろ側部分とを理想的に分けることができる。
【００１５】
マークは、通常、ノッチや、Ｖノッチ等の切り込み型が用いられるが、縫製作業者が識別できるものであればどんなものでもよい。目打ち等の穴型や、凸型の出っ張りをマークとすることもできる。また、マークは、実用上、衿の背中心を中心として２箇所設けることで十分であるが、それ以上設けてもかまわない。
【００１６】
表衿生地のマーク間隔は、衿芯地のそれよりも０．５〜１％程度大きくする。そして、上述したように、表衿生地、衿芯地および裏衿生地は、表衿生地および衿芯地の対応するマーク位置を合わせて縫着される。使用する生地や衿のデザインによっても異なるが、通常のシャツ生地を用い、通常のデザインとする場合は、０．７５％程度が最も適当である。表衿生地と衿芯地のマーク間隔の差が大きすぎると表衿生地の余り皺が発現されやすくなり、小さすぎると表衿生地が突っ張りやすくなる。
【００１７】
以上においては、表衿生地と衿芯地にのみマークを付する場合について説明したが、裏衿生地にも同様にマークを付し、表衿生地、衿芯地および裏衿生地とを対応するマークの位置を合わせて縫着するようにすると、衿を構成する表衿生地、衿芯地および裏衿生地の長さの差が衿の首周りの後ろ側の部分に入ることになり、表衿生地の突っ張りや衿芯地のぼこつきがより軽減されるのみならず、裏衿生地の余り皺も軽減されるようになるので好ましい。裏衿生地の余り皺は、表からは見えにくいものの、ネクタイの収まり具合や着用感に影響を与えるため、やはり少ないほうが好ましい。なお、この場合、衿芯地のマーク間隔を裏衿生地のそれよりも０．５〜１％程度大きくすることはいうまでもない。
【００１８】
また、以上においては、非接着仕様の衿を例として説明したが、同様に内外周差が問題となるカフス（袖口）についても全く同様である。上述の説明において、表衿生地を表カフス生地と、衿芯地をカフス芯地と、裏衿生地を裏カフス生地と、衿中心をカフス中心と、衿先をカフス先と、それぞれ読み替えればよい。
【００１９】
【実施例および比較例】
（実施例）
通常の衿型で、首周り寸法が４０ｃｍの非接着仕様の衿を有するドレスシャツを作製した。表衿生地および裏衿生地としては、経糸および緯糸が綿１００％の８０番双糸使いで、経糸密度が１４６本／２．５４ｃｍ、緯糸密度が８０本／２．５４ｃｍのドビー生地を用い、生地の経糸方向が衿の長手方向となるようにした。また、衿芯地としては、正バイアス方向が衿の長手方向になるように裁断したものを用いた。また、衿芯地の衿先部分には衿先補強芯地を接着した。
【００２０】
表衿生地、衿芯地および裏衿生地に、衿の背中心を中心にＶノッチ型のマークを２箇所付した。マーク間隔は、衿の長さの４５％とした。また、表衿生地のマーク間隔は衿芯地のそれよりも０．７５％大きくし、衿芯地のマーク間隔は裏衿芯地のマーク間隔よりも０．７５％大きくした。表衿生地、衿芯地および裏衿生地のマークから衿先までの長さは同一である。
【００２１】
表衿生地、衿芯地および裏衿生地を、対応するマーク位置を合わせて縫着した。得られた衿を使用してドレスシャツを作製し、着用評価を行なったところ、衿の衿先部分の表衿生地の余り皺、表衿生地の突っ張り、裏衿の余り皺は、全く見られなかった。
（比較例）
表衿生地、衿芯地および裏衿生地の長さの差が衿全体に入るように縫着したほかは実施例と同様にしてドレスシャツを作製し、着用評価を行なったところ、衿の衿先部分の表衿生地の余り皺が大きく現れた。表衿生地の突っ張りや裏衿の余り皺は、目立たなかった。
【００２２】
【発明の効果】
本発明によれば、実施例と比較例との対比からも明らかなように、衿先周辺に表衿生地の余り皺ができるのを防止しつつ表衿生地の突っ張りを軽減することができ、衿芯地のぼこつきの少ない衿を有する衣服を得ることができる。
【図面の簡単な説明】
【図１】本発明の一実施形態に係る衣服の衿を表衿生地について示す概略平面図である。
【符号の説明】
Ｍ　：マーク
ＣＢ：衿の背中心
Ｆｗ：表衿生地の長さ
Ｍｗ：マーク間隔
【図１】
2004052189.tif 000003